(57)【要約】      （修正有）【課題】従来の移動体通信機入力ボタンには入力拠点がない為、入力効率が悪く単一色と形状で楽しく無いと共に目の不自由な方には入力不便極まりない現況課題を解決しようとするものである。【解決手段】複数なる楽しい色と形の入力ボタンを配しボタン列位置中央部上の形状を統一する即ち入力拠点を施し問題解決を図ろうとするものである。【選択図】図１
0003101854.tif 000002
【実用新案登録請求の範囲】
【請求項１】
入力ボタンに複数色と形状のボタンを設け、列位置中央部文字に同一形状ボタンを配しブラインドタッチ入力に於ても入力位置認識容易にし入力効率計ると共に目の不自由な方も入力対応可能にした楽しい効率的な入力装置。
【考案の詳細な説明】
【考案の詳細な説明】
〔考案の属する技術分野〕
【０００１】目の不自由な方も入力対応可能にした楽しい効率的な入力装置。〔従来の技術〕
【０００２】従来の技術における通信機入力ボタンには入力拠点がない為入力効率が悪く単一形で楽しく無い、目の不自由な方は入力不可能と言っても過言でない現況である。〔考案が解決しようとする課題〕
【０００３】１、本考案は従来の技術通信機入力ボタンには入力拠点がない為入力効率が悪く単一形状で楽しく無いと共に目の不自由な方には入力不便極まりない現況課題を解決しようとするものである。〔問題を解決するため手段〕
【０００４】２、入力を為に複数いろと形の入力ボタン配し楽しくボタン列位置中央部上の形状を統一する即ち入力拠点を施し問題解決を図ろうとするものである。〔考案の実施の形態〕
【０００５】目の不自由な方も入力対応可能にした楽しい効率的な入力装置。〔実施例〕
【０００６】携帯電話に於けると入力変形ボタンを具体化した実施例0003101854.tif 000003
0003101854.tif 000004
〔考案の効果〕  今日ＩＴＩＴの囃、産業界は凌ぎを削る開発競争、本当に人々の幸せをベーシックにした取組だろうか、どこか間違って居る思いに駆られるのは自分だけなのか、先日の新聞で何処でもネットで空と接続、電源をマイクロ波で端末と・・・現在利用されている携帯、各種通信機器全く魔法使いの様な構造物であるように思われるが果たして人々全体が喜び合って共有できるであろうか、目の不自由な方如何であろうか、この恩恵を享受出来るであろうか？メール入力一例あげても不都合極まりない、もう日本の社会は４人１人の老人社会に突入、その対策を急がねばならない時期ではないか、この自分も何時その失明の事態に遭遇するかも知れない、時間に拘束されることの無いメール入力等で自分の意思を静かに伝え得るならどれだけ助かることだろう、前述の様に不具合で心暖かい配慮に乏しい気がしてならない、情ないではないか！現況を検証し一歩でも通信機の特典を共有できる構造物通信機の礎に成れないかと目の不自由な方の入力対応可能な考案と単一な入力形ボタンをボタンの複数形設けることによる入力の効率と楽しさの効果を図りました。
【図面の簡単な説明】
【図１】携帯電話における入力変形ボタンと列位置中央部上の形状を縦統一した図面
【図２】携帯電話における入力変形ボタン列位置中央部上の形状を横統一した図面
【図１】
0003101854.tif 000005
【図２】
0003101854.tif 000006
【手続補正書】
【提出日】平成15年9月2日(2003.9.2)
【手続補正１】
【補正対象書類名】実用新案登録請求の範囲
【補正対象項目名】全文
【補正方法】変更
【補正の内容】
【書類名】  実用新案登録請求の範囲  【請求項１】日本語の原理を仕様する事で日本語入力を容易に且つ、効率良くし、入力装置面に三列の入力ボタンを配置、左記三列の入力ボタンのうち一列は母音入力用、除いた二列に子音入力用として入力ボタンを配置、確実なる日本語入力は母音ボタン一回、子音は二回、濁音、半濁音、拗音、促音等はその機器システムに合わせ付加入力、文節入力は学習表示でボタン押し極少に成し、目の不自由な方にも入力対応可能にし且つローマ字変換機能ボタンにより効率的にローマ字変換可能にした効率的な入力装置。  【請求項２】英文字は請求項１入力ボタン各個に一定数値英文字二個配分、目の不自由な方にも入力対応可能にした効率的な入力装置。  【請求項３】請求項１入力ボタンに複数色と形状のボタンを設け、列位置中央部文字に同一形状ボタンを入力拠点とて配し、種々なるボタンを有することで楽しく入力効率計ると共に目の不自由な方も入力対応可能にした効率的な入力装置。【手続補正書】
【提出日】平成15年10月24日(2003.10.24)
【手続補正１】
【補正対象書類名】明細書
【補正対象項目名】実用新案登録請求の範囲
【補正方法】変更
【補正の内容】
【書類名】実用新案登録請求の範囲
【請求項１】
現在の携帯通信機に於ける入力ボタンに複数の色と形状のボタンを設け、中央部列文字に同一形状ボタンを入力拠点として配し、種々なるボタンを有することで楽しく入力拠点による入力効率を計ると共に目の不自由な方も入力対応可能にした効率的な入力装置。
【手続補正２】
【補正対象書類名】図面
【補正対象項目名】全図
【補正方法】変更
【補正の内容】
0003101854.tif 000007
【手続補正３】
【補正対象書類名】明細書
【補正対象項目名】全文
【補正方法】変更
【補正の内容】
【考案の詳細な説明】
〔技術の分野〕
【０００１】  目の不自由な方も入力対応可能にした楽しい効率的な入力装置。
〔背景技術〕
【０００２】従来の技術における携帯通信機入力ボタンには入力拠点がない為入力効率が悪く単一形で楽しく無い、目の不自由な方は入力不可能と言っても過言でない現況である。
〔考案の開示〕
〔考案が解決しようとする課題〕
【０００３】本考案は従来の技術通信機入力ボタンには入力拠点がない為入力効率が悪く単一形状で楽しく無いと共に目の不自由な方には入力不便極まりない現況課題を解決しようとするものである。
〔考案の効果〕
【０００４】入力に於いて複数の色と形の入力ボタン配し楽しくボタン列位置中央部上の形状を統一する即ち入力拠点を施し問題解決を図ろうとするものである。
〔考案を実施するための最良の形態〕
【０００５】現在の携帯通信機入力ボタンに複数の色と形状ボタン配し且つボタン列位置中央部上の形状を統一、入力拠点を施した携帯通信機入力ボタンである。
〔実施例〕
【０００６】現在の携帯通信機入力ボタンに複数の色と形状ボタン配置ボタン列位置中央部上の形状を統一した。
〔産業上の利用可能性〕
【０００７】今日ＩＴＩＴの囃、産業界は凌ぎを削る開発競争、本当に人々の幸せをベーシックにした取組だろうか、どこか間違って居る思いに駆られるのは自分だけなのか、先日の新聞で何処でもネットで空と接続、電源をマイクロ波で端末と・・・現在利用されている携帯、各種通信機器全く魔法使いの様な構造物であるように思われるが果たして人々全体が喜び合って共有できるであろうか、目の不自由な方如何であろうか、この恩恵を享受出来るであろうか？メール入力一例あげても不都合極まりない、もう日本の社会は４人１人の老人社会に突入、その対策を急がねばならない時期ではないか、この自分も何時その失明の事態に遭遇するかも知れない、時間に拘束されることの無いメール入力等で自分の意思を静かに伝え得るならどれだけ助かることだろう、前述の様に不具合で心暖かい配慮に乏しい気がしてならない、情ないではないか！現況を検証し特殊なものでなく一般的な物で目の不自由な方々も皆で産業上の利用可能性考察、共有でき得るよう拠点を設ける事による目の不自由な方の入力対応可能と入力の効率計り単一なる入力形ボタンをボタンの複数色と形設けることによる楽しさの効果を図りました。
【図面の簡単な説明】
【０００８】
【図１】  本考案は現在使用されている携帯通信機の入力ボタン形状を分かり易くする為変形し種々なる形状と入力拠点例★形状を列位置中央部配置尚縦横変換形も同様。
【符号の説明】
【０００９】縦・縦横・横・縦端列・横端列・中中央の例図である。尚縦横変換形も同様。
【手続補正書】
【提出日】平成16年1月8日(2004.1.8)
【手続補正１】
【補正対象書類名】実用新案登録請求の範囲
【補正対象項目名】全文
【補正方法】変更
【補正の内容】
【実用新案登録請求の範囲】
【請求項１】
日本語の原理を仕様する事で日本語入力を容易に且つ、効率良くし、入力装置面に三列の入力ボタンを配置、左記三列の入力ボタンのうち一列は母音入力用、除いた二列に子音入力用として入力ボタンを配置、確実なる日本語入力は母音ボタン一回、子音は二回、濁音、半濁音、拗音、促音等はその機器システムに合わせ付加入力、文節入力は学習表示でボタン押し極少に成し、目の不自由な方にも入力対応可能にし且つローマ字変換機能ボタンにより効率的にローマ字変換可能にした効率的な入力装置。
【請求項２】
英文字は請求項１入力ボタン各個に一定数値英文字二個配分、目の不自由な方にも入力対応可能にした効率的な入力装置。
【請求項３】
請求項１入力ボタンに複数色と形状のボタンを設け、列位置中央部文字に同一形状ボタンを入力拠点とて配し、種々なるボタンを有することで楽しく入力効率計ると共に目の不自由な方も入力対応可能にした効率的な入力装置。